(57)【要約】【課題】帳票に押印されている様々な印影の中から、顧客印影を効率的に提示すること。【解決手段】ＤＢサーバ１は、帳票画像が記録されている帳票データテーブル１１と、探索結果から除外する対象である除外印影が記録されている検印テーブル１２と、帳票画像を帳票データテーブル１１から読み込んで、その帳票画像から印影データを探索した結果を第１印影集合に所属させ、第１印影集合に属する各印影について、検印テーブル１２内の各除外印影と照合し、除外印影との一致率が所定閾値未満である印影を第２印影集合に所属させ、第２印影集合を印鑑探索の結果として出力させる制御部とを有する。【選択図】図１
2013167928.tif 000002
【特許請求の範囲】
【請求項１】
帳票画像が記録されている帳票データテーブルと、
探索結果から除外する対象である除外印影が記録されている検印テーブルと、
前記帳票画像を前記帳票データテーブルから読み込んで、その帳票画像から印影データを探索した結果を第１印影集合に所属させ、
前記第１印影集合に属する各印影について、前記検印テーブル内の前記各除外印影と照合し、前記各除外印影との一致率がいずれも所定閾値未満である印影を第２印影集合に所属させ、
前記第２印影集合を印鑑探索の結果として出力させる制御部とを有することを特徴とする
データベースサーバ。
【請求項２】
前記制御部は、前記第１印影集合を作成するときに、前記帳票画像内に記載されている印鑑枠を識別し、その印鑑枠内の画像データを印影データとして抽出して前記第１印影集合に所属させることを特徴とする
請求項１に記載のデータベースサーバ。
【請求項３】
前記制御部は、前記第１印影集合を作成するときに、前記帳票画像内を走査して画像特徴情報に合致する箇所の画像データを印影データとして抽出して前記第１印影集合に所属させることを特徴とする
請求項１に記載のデータベースサーバ。
【請求項４】
前記制御部は、前記第２印影集合を出力させるときに、前記第２印影集合と併せて、前記帳票画像を記入した顧客によりあらかじめ登録されている顧客印影を併せて出力させることを特徴とする
請求項１ないし請求項３のいずれか１項に記載のデータベースサーバ。
【請求項５】
帳票画像があらかじめ記録されている帳票データテーブルと、
探索結果から除外する対象である除外印影があらかじめ記録されている検印テーブルとを備えるデータベースサーバの制御部に実行させるプログラムであって、
前記帳票画像を前記帳票データテーブルから読み込んで、その帳票画像から印影データを探索した結果を第１印影集合に所属させるステップと、
前記第１印影集合に属する各印影について、前記検印テーブル内の前記各除外印影と照合し、前記各除外印影との一致率がいずれも所定閾値未満である印影を第２印影集合に所属させるステップと、
前記第２印影集合を印鑑探索の結果として出力させるステップとを実行させるための
印影処理プログラム。
【発明の詳細な説明】
【技術分野】
【０００１】
本発明は、データベースサーバ、および、印影処理プログラムの技術に関する。
【背景技術】
【０００２】
金融機関においては、顧客から提出された帳票をスキャンして画像データ化し、コンピュータに入力することによって、帳票処理を効率化している。そのとき、帳票の記載内容が正しいか否かを営業店の行員がチェックし、チェックを通過した帳票だけがコンピュータに入力される。
【０００３】
特許文献１には、営業店の役席者による記載内容の検査結果である検印が、帳票画像内の役席者検印欄に正しく押印されているか否かを、あらかじめ登録されている役席者の検印画像との照合処理により検査するシステムが開示されている。
【先行技術文献】
【特許文献】
【０００４】
【特許文献１】特開２００５−２３４６６５号公報
【発明の概要】
【発明が解決しようとする課題】
【０００５】
帳票には、検印だけでなく、様々な印鑑の押印結果が印影として含まれている。例えば、帳票の紙面を営業店の窓口が受け付けたことを示す受付印の印影や、顧客により届出印が押印された顧客印影も、検印の印影と同じ紙面である帳票の別の箇所に記されている。
【０００６】
そして、営業店のオペレータは、帳票に押印されている様々な印影の中から、顧客印影が存在する箇所を特定し、その特定した顧客印影があらかじめ金融機関に登録されている顧客印影と一致するか否かを、並べて表示された印影から目視で確認することによって、帳票の正当性を確認（顧客認証を実施）している。
【０００７】
ここで、オペレータによる顧客印影の正当性を確認する作業を効率化するコンピュータシステムが求められる。特に、オペレータは、帳票に押印されている顧客印影以外の印影（検印や受付印）が存在するときには、それらの印影が視覚のノイズとなってしまい、顧客印影の目視によるチェック速度を低下させてしまう。
【０００８】
なお、特許文献１の手法では、「役席者検印欄」のように、帳票の特定箇所を特定の人が押印するように帳票がレイアウトされており、特定箇所を切り取って各種印影を取得している。
しかし、帳票作成に不慣れな顧客印影は正しく顧客の押印欄に押印されるとは限らず、押印欄からはみ出して押印されたり、検印欄などの別の箇所に顧客印影が存在してしまう押し間違えも発生したりする。よって、特許文献１の手法のように、特定箇所だけを切り取って印影を取得する処理だけでは、帳票から顧客印影だけを正しく切り取れるとは限らない。
【０００９】
そこで、本発明は、前記した課題を解決するためになされたものであり、帳票に押印されている様々な印影の中から、顧客印影を効率的に提示することを、主な目的とする。
【課題を解決するための手段】
【００１０】
前記課題を解決するために、本発明は、帳票画像が記録されている帳票データテーブルと、
探索結果から除外する対象である除外印影が記録されている検印テーブルと、
前記帳票画像を前記帳票データテーブルから読み込んで、その帳票画像から印影データを探索した結果を第１印影集合に所属させ、
前記第１印影集合に属する各印影について、前記検印テーブル内の前記各除外印影と照合し、前記各除外印影との一致率がいずれも所定閾値未満である印影を第２印影集合に所属させ、
前記第２印影集合を印鑑探索の結果として出力させる制御部とを有することを特徴とする。
その他の手段は、後記する。
【発明の効果】
【００１１】
本発明によれば、帳票に押印されている様々な印影の中から、顧客印影を効率的に提示することができる。
【図面の簡単な説明】
【００１２】
【図１】本発明の一実施形態に関する印影処理システムを示す構成図である。
【図２】本発明の一実施形態に関する印影処理システムの動作を示すフローチャートである。
【図３】本発明の一実施形態に関する帳票データとその印影抽出処理を示す説明図である。
【図４】本発明の一実施形態に関する印影処理システムの各データテーブルを示す説明図である。
【図５】本発明の一実施形態に関する第１印影集合から第２印影集合の抽出処理を示す説明図である。
【発明を実施するための形態】
【００１３】
以下、本発明の一実施形態を、図面を参照して詳細に説明する。
【００１４】
図１（ａ）は、印影処理システム１０を示す構成図である。印影処理システム１０は、ＤＢ（DataBase）サーバ１と、オペレータ端末２とが、それぞれハブ（ＨＵＢ）で接続されて構成される。１台のＤＢサーバ１にハブ（ＨＵＢ）（ネットワーク）を介して、複数台（図１では３台）のオペレータ端末２が接続される。オペレータ端末２は、帳票を画像データ化した帳票画像を元に、オペレータが帳票画像に存在する印影の確認や登録などを行う端末である。
これらの印影処理システム１０の各装置は、制御部（ＣＰＵ）、記憶部（メモリ、ハードディスクなど）、および、通信部（ネットワークインタフェース）を備えるコンピュータとして構成される。
特にオペレータ端末２は、ブラウザを備え、スキャナに接続されている。
【００１５】
図１（ｂ）は、印影処理システム１０のＤＢサーバ１の詳細を示す。ＤＢサーバ１は、データベースとして帳票データテーブル１１と、検印テーブル１２とを記憶手段に格納するとともに、そのデータベース内のデータを処理する処理部として、印影処理プログラムを読み込んで実行することで、帳票取得部２１と、印鑑探索部２２と、印鑑除外部２３と、結果出力部２４とを実現する制御部を有する。
【００１６】
帳票取得部２１は、オペレータ端末２からの操作により、帳票ごとの帳票画像などのデータを格納する帳票データテーブル１１から、帳票画像を取得する。
印鑑探索部２２は、帳票取得部２１が取得した帳票画像から、撮影されている印影を探索し、その結果を第１印影集合として取得する。
印鑑除外部２３は、検印や受付印などの印鑑探索結果から除外される印影データを検印テーブル１２から読み込んで、印鑑探索部２２が取得した第１印影集合を構成する各印影と照合することにより、第１印影集合から検印テーブル１２に登録されている印影（除外印影と呼ぶ）を除外した第２印影集合を作成する。
結果出力部２４は、印鑑除外部２３が作成した第２印影集合をオペレータ端末２に出力することで、オペレータにオペレータ端末２の表示画面を介して第２印影集合を確認させる。
【００１７】
なお、帳票画像から抽出した印影の集合である「第１印影集合」は、顧客が押印した顧客印影の集合である「第２印影集合」と、顧客以外が押印した印影の集合（除外する印影集合）との和集合である。
【００１８】
図２は、印影処理システム１０の動作を示すフローチャートである。
まず、前準備として、オペレータは、ＤＢサーバ１からＳ１で送信されたログイン画面（htmlファイルなどで記載）をもとに、自分のＩＤ情報などを入力し、ログインする（Ｓ２）。
次に、オペレータは、オペレータ端末２に接続されているスキャナを用いて、紙面の帳票をスキャンさせて、電子化（画像データ化）する（Ｓ３）。
オペレータ端末２は、電子化された帳票画像をＤＢサーバ１に送信し（Ｓ４）、ＤＢサーバ１内の帳票データテーブル１１に記録させる。
【００１９】
Ｓ１０では、オペレータ端末２は、ＤＢサーバ１から送信された帳票取得後の指示画面（htmlファイルなどで記載）を表示する。
Ｓ１１では、オペレータは、オペレータ端末２を操作して、帳票画像（図３参照）の取得指示をオペレータ端末２に入力する。なお、この入力は、Ｓ１０の指示画面に含まれる指示ボタンなどを押下することにより、実現される。
Ｓ１２では、オペレータ端末２は、オペレータからの帳票取得指示を、ＤＢサーバ１に送信（Ｓ１０への返信）する。
Ｓ１３では、帳票取得部２１は、Ｓ１２で指示された帳票画像を帳票データテーブル１１から取得する。
Ｓ１４では、印鑑探索部２２は、Ｓ１３で取得した帳票画像に対して印鑑探索を実施して第１印影集合を得る。
【００２０】
Ｓ１５では、印鑑除外部２３は、Ｓ１４で検出された第１印影集合の各印影に対して、検印テーブル１２に一致する印影を除外して第２印影集合を作成する。
なお、印影の一致不一致の照合処理では、印影どうしの一致率が所定閾値（95％など）以上の場合、互いに一致する印影（つまり、第２印影集合から除外する印影）であると判断する。
【００２１】
Ｓ１６では、結果出力部２４は、Ｓ１５で作成された第２印影集合の各印影の画像の画面を、探索結果としてオペレータ端末２に送信する。
Ｓ１７では、オペレータ端末２は、自身の表示装置を介して、Ｓ１６で受信した第２印影集合を表示する。
【００２２】
さらに、オペレータ端末２は、Ｓ２１，Ｓ２２の付加処理を実行してもよいし、しなくてもよい。
Ｓ２１では、オペレータ端末２は、Ｓ１１で指示を受けた帳票に関する顧客（帳票に押印した顧客）のデータとして、ＤＢサーバ１にあらかじめ登録されている顧客印影（Ｓ１３で取得した第１印影集合の印影とは別の印影）の画像を、ＤＢサーバ１から受信する。
Ｓ２２では、オペレータ端末２は、Ｓ２１で受信した顧客印影をオペレータに向けて表示する。
Ｓ２３では、オペレータは、Ｓ１７の第２印影集合と、Ｓ２２の顧客印影とを見比べて、帳票が顧客によって正しく押印されているか否かを容易に確認することができる。つまり、第２印影集合には検印や受付印などの顧客印影以外の印影が除外されているので、オペレータは、顧客印影以外の印影を見なくても済む。
【００２３】
なお、図２の各処理は、以下に示すように適宜別の処理に変更したり、別の処理を追加したりしてもよい。
例えば、Ｓ１７の第２印影集合の表示に加えて、その第２印影集合の近傍に、Ｓ１５で第１印影集合から第２印影集合を選択するときに除外された印影集合（検印集合）を併せて表示してもよい。この表示において、「例えば、担当者Ａの検印は探索結果から除外しています」などの除外された印影集合を示す補足説明を表示してもよい。
【００２４】
また、Ｓ１５で照合される検印テーブル１２の印影要素について、オペレータ端末２にオペレータがログインするたびに、検印テーブル１２に登録されている印影要素からＳ１５で照合に使用される印影要素をオペレータに事前確認させる画面をオペレータ端末２に表示し、Ｓ１５で照合に使用される印影要素をオペレータに確認させたり、選択させたりしてもよい。
【００２５】
さらに、検印テーブル１２に登録されている印影要素をグループ分けしておいて、Ｓ１５で照合に使用される印影要素をオペレータに選択させるときに、オペレータ端末２にログインするときに使用されるオペレータのＩＤをキーとして、所定のグループに属する印影要素だけをオペレータに選択させてもよい。
【００２６】
図３は、帳票データとその印影抽出処理（Ｓ１４）を示す説明図である。
印鑑探索部２２は、３つの印影（Ｎｏ．１の検印、Ｎｏ．２の検印、Ｎｏ．３の顧客印影）を、帳票データから抽出する。この抽出処理は、例えば、印鑑枠があらかじめ帳票データに記載されているときは、その印鑑枠を位置指定して切り取ることで印影を抽出してもよい。または、印鑑枠の画像特徴情報（２ｃｍ四方の四角形など）を検出して、その検出した印鑑枠から印影を抽出してもよい。
このように、印鑑枠だけを指定して、その印鑑枠が誰によって押印されているかを区別せずに印影を抽出することで、届出印を間違って検印用の印鑑枠に押してしまった場合でも、その届出印の印影を抽出できる。
【００２７】
別の抽出処理としては、あらかじめ印影の画像特徴情報を入力しておき、その画像特徴情報に合致する箇所を帳票画像を走査して探索する処理によって、１つ以上の印影を抽出してもよい。ここで、印影の画像特徴情報は、例えば、印影の色（朱色）や、印影の形状（１ｃｍ程度の楕円形）や、印影の文字列（漢字で２〜４文字）などを１つ以上組み合わせたものである。
このように、帳票画像内の印鑑枠を用いない抽出処理により、届出印が印鑑枠からはみ出した位置に押印された場合でも、その届出印を抽出することができる。
【００２８】
図４は、印影処理システム１０の各データテーブルを示す説明図である。
図４（ａ）に示す帳票データテーブル１１は、帳票画像や、その他の帳票に応じて必要な情報（帳票記入項目など）を帳票ごとに格納するテーブルである。
図４（ｂ）に示す検印テーブル１２は、印鑑探索結果から除外する検印などの印影画像と、その印影画像に関する印影情報（誰の印鑑か、など）とを対応づけて格納するテーブルである。
図４（ｃ）では、図４（ｂ）の検印テーブル１２の格納内容を画像形式で図示する。
【００２９】
図５は、印鑑除外部２３が実行する第１印影集合から第２印影集合の抽出処理（Ｓ１５）を示す説明図である。印鑑除外部２３は、第１印影集合（Ｎｏ．１〜Ｎｏ．３）の各印影に対して、検印テーブル１２の３つの検印との比較処理を行う。
Ｎｏ．１の印影と、Ｎｏ．２の印影は、それぞれ所定閾値（95％）以上の検印が見つかったために、第２印影集合から除外される。
Ｎｏ．３の印影は、所定閾値（95％）以上の検印が見つからなかったために、第２印影集合に含まれる。
なお、一致率の具体的な計算方法は、例えば、「互いに画素値が一致する印影の画素数／印影を構成する画像データの全画素数」などで計算できる。または、特許文献１にも、一致率の計算方法が記載されている。
【００３０】
以上説明した本実施形態では、検印テーブル１２に事前登録した検印を利用することにより、結果出力部２４が出力する印鑑探索の精度を向上させる。印鑑探索の精度は、顧客印影が多く含まれ、それ以外の検印などの印影が少なく含まれているほど、精度が高いといえる。
この印影処理システム１０は、銀行業務システムなどに適用され、オペレータが帳票画像から届出印の顧客印影を探索する際の作業効率を向上させることができる。
【符号の説明】
【００３１】
１      ＤＢサーバ
２      オペレータ端末
１０    印影処理システム
１１    帳票データテーブル
１２    検印テーブル
２１    帳票取得部
２２    印鑑探索部
２３    印鑑除外部
２４    結果出力部
【図１】
2013167928.tif 000003
【図２】
2013167928.tif 000004
【図３】
2013167928.tif 000005
【図４】
2013167928.tif 000006
【図５】
2013167928.tif 000007